(57)【特許請求の範囲】
【請求項１】
光学文字読取用紙の認識結果をディスプレイ画面の認識結果表示領域に表示すると共に、光学文字読取用紙イメージのうち一の認識結果に対応する該当イメージ部分を該ディスプレイ画面のイメージ表示領域に表示する工程と、該認識結果表示領域のいずれかの認識結果を指示すると、該光学文字読取用紙イメージのうち指示された認識結果に対応する該当イメージ部分を該イメージ表示領域の中心または規定の位置に拡大して表示する工程と、該指示された認識結果に対応する該当イメージ部分に確認マークを付加して表示する工程と、該認識結果を該認識結果表示領域に表示すると共に、該認識結果の論理誤りをフィールド毎に検出して該ディスプレイ画面の論理誤り表示領域に表示する工程と、該論理誤り表示領域でいずれかの論理誤り表示を指示すると、該光学文字読取用紙イメージのうち指示された論理誤り表示に対応する該当イメージ部分を該イメージ表示領域の中心または規定の位置に拡大して表示する工程と、該指示された論理誤り表示に対応する該当イメージ部分に確認マークを付加して表示する工程を有することを特徴とする光学文字読取用紙認識結果の確認修正方法。
【請求項２】
該認識結果と図形領域確認指示用領域とを該認識結果表示領域に表示すると共に、該光学文字読取用紙イメージのうち一の図形領域検出結果を該ディスプレイ画面の図形イメージ表示領域に表示する工程と、図形領域確認指示を行うと、該光学文字読取用紙イメージのうち指示された図形領域検出結果を該図形イメージ表示領域の中心または規定の位置に表示する工程と、該指示された図形領域検出結果に確認マークを付加して表示する工程を有することを特徴とする請求項１記載の光学文字読取用紙認識結果の確認修正方法。
【請求項３】
光学文字読取用紙の認識結果をディスプレイ画面の認識結果表示領域に表示すると共に、光学文字読取用紙イメージのうち一の認識結果に対応する該当イメージ部分を該ディスプレイ画面のイメージ表示領域に表示する手段と、該認識結果表示領域のいずれかの認識結果を指示すると、該光学文字読取用紙イメージのうち指示された認識結果に対応する該当イメージ部分を該イメージ表示領域の中心または規定の位置に拡大して表示する手段と、該指示された認識結果に対応する該当イメージ部分に確認マークを付加して表示する手段と、該認識結果を該認識結果表示領域に表示すると共に、該認識結果の論理誤りをフィールド毎に検出して該ディスプレイ画面の論理誤り表示領域に表示する手段と、該論理誤り表示領域でいずれかの論理誤り表示を指示すると、該光学文字読取用紙イメージのうち指示された論理誤り表示に対応する該当イメージ部分を該イメージ表示領域の中心または規定の位置に拡大して表示する手段と、該指示された論理誤り表示に対応する該当イメージ部分に確認マークを付加して表示する手段を有することを特徴とする光学文字読取用紙認識結果の確認修正装置。
【請求項４】
該認識結果と図形領域確認指示用領域とを該認識結果表示領域に表示すると共に、該光学文字読取用紙イメージのうち一の図形領域検出結果を該ディスプレイ画面の図形イメージ表示領域に表示する手段と、図形領域確認指示を行うと、該光学文字読取用紙イメージのうち指示された図形領域検出結果を該図形イメージ表示領域の中心または規定の位置に表示する手段と、該指示された図形領域検出結果に確認マークを付加して表示する手段を有することを特徴とする請求項３記載の光学文字読取用紙認識結果の確認修正装置。
【発明の詳細な説明】
【０００１】
【発明の属する技術分野】
本発明は光学文字読取（以下ＯＣＲ（Ｏｐｔｉｃａｌ  Ｃｈａｒａｃｔｏｒ  Ｒｅａｄｅｒの略）という）用紙認識装置で行うマーク認識結果、文字認識結果および図形領域検出結果の確認と修正を効率良く行うＯＣＲ用紙認識結果の確認修正方法およびその方法を実施するための装置に関するものである。
【０００２】
【従来の技術】
従来、ＯＣＲ用紙認識装置におけるマークおよび文字認識結果の確認修正は、マークおよび文字認識結果をディスプレイ画面に表示し、入力したＯＣＲ用紙を参照して確認すると共にキーボード入力で修正する方法や、ディスプレイ画面に認識結果とＯＣＲ用紙イメージを分割表示して画面を参照しながら確認すると共にキーボード入力で修正を行う方法で行っていた。
【０００３】
このため、ＯＣＲ用紙を参照する方法では、ＯＣＲ用紙中の文字位置とディスプレイ画面の認識結果の位置を目線が行き来するため効率が悪く、かつ多量のＯＣＲ用紙の扱いが煩雑であった。また、ディスプレイ画面にＯＣＲ用紙認識結果とＯＣＲ用紙イメージを分割表示する方法は、ＯＣＲ用紙を必要としないため簡便ではあるが、ディスプレイの分割画面にＯＣＲ用紙のイメージの全部を表示すると、小さなＯＣＲ用紙は良いがＡ４判サイズ等のＯＣＲ用紙は文字イメージの判読が困難であるばかりでなく、文字認識結果と文字イメージの対応も困難であった。このため、ＯＣＲ用紙イメージを拡大表示する必要があるが、そうすると頻繁に画面のスクロールが必要となる。
【０００４】
以上のように、ＯＣＲ用紙の認識結果の確認修正業務は煩雑で時間がかかるばかりでなく、確認修正を行うオペレータに負荷がかかるという問題があった。
【０００５】
【発明が解決しようとする課題】
本発明は、ＯＣＲ用紙の認識結果とＯＣＲ用紙イメージのうち拡大された該当イメージをディスプレイ画面に連動させて同時に表示すると共に、確認又は修正するマーク・文字・図形のイメージ及びフィールドを明確にすることにより上記問題を解決し、ＯＣＲ用紙の認識結果の確認修正業務を効率化しようとするものである。
【０００６】
【課題を解決するための手段】
このような問題を解決するために、本発明によるＯＣＲ用紙認識結果の確認修正方法は、ＯＣＲ用紙の認識結果をディスプレイ画面の認識結果表示領域に表示すると共に、ＯＣＲ用紙イメージのうち一の認識結果に対応する該当イメージ部分をディスプレイ画面のイメージ表示領域に表示する工程と、認識結果表示領域のいずれかの認識結果を指示すると、ＯＣＲ用紙イメージのうち指示された認識結果に対応する該当イメージ部分をイメージ表示領域の中心または規定の位置に拡大して表示する工程と、指示された認識結果に対応する該当イメージ部分に確認マークを付加して表示する工程を有する。また、認識結果を認識結果表示領域に表示すると共に、認識結果の論理誤りについてもディスプレイ画面の論理誤り表示領域に表示する工程と、指示された論理誤り表示に対応する該当イメージ部分を表示する工程と、これに確認マークを付加して表示する工程を有する。
【０００７】
また、好ましくは、認識結果を認識結果表示領域に表示すると共に、図形領域検出結果についてもディスプレイ画面の図形イメージ表示領域に表示する工程と、指示された図形領域検出結果を表示する工程と、これに確認マークを付加して表示する工程を有する。
【０００８】
また、本発明によるＯＣＲ用紙認識結果の確認修正装置は、ＯＣＲ用紙の認識結果をディスプレイ画面の認識結果表示領域に表示すると共に、ＯＣＲ用紙イメージのうち一の認識結果に対応する該当イメージ部分をディスプレイ画面のイメージ表示領域に表示する手段と、認識結果表示領域のいずれかの認識結果を指示すると、ＯＣＲ用紙イメージのうち指示された認識結果に対応する該当イメージ部分をイメージ表示領域の中心または規定の位置に拡大して表示する手段と、指示された認識結果に対応する該当イメージ部分に確認マークを付加して表示する手段を有する。また、認識結果を認識結果表示領域に表示すると共に、認識結果の論理誤りについてもディスプレイ画面の論理誤り表示領域に表示する手段と、指示された論理誤り表示に対応する該当イメージ部分を表示する手段と、これに確認マークを付加して表示する手段を有する。
【０００９】
また、好ましくは、認識結果を認識結果表示領域に表示すると共に、図形領域検出結果についてもディスプレイ画面の図形イメージ表示領域に表示する手段と、指示された図形領域検出結果を表示する手段と、これに確認マークを付加して表示する手段を有する。
【００１０】
請求項１、３に記載の発明は、ＯＣＲ用紙の認識結果とＯＣＲ用紙イメージとを同一ディスプレイ画面内に表示し、ディスプレイ画面の文字またはマーク認識結果を指示するとＯＣＲ用紙イメージの該当イメージ部分を所定の表示領域の中心または規定の位置に拡大して表示すると共に確認マークを付加することで確認修正するマーク・文字イメージを明確にする。また、ＯＣＲ用紙の認識結果とフィールド毎のマーク・文字認識結果の論理的な誤りとを同一ディスプレイ画面内に表示し、論理誤り表示を指示すると、指示されたＯＣＲ用紙イメージの該当イメージ部分を所定の表示領域の中心または規定の位置に拡大して表示すると共に確認マークを付加することで確認修正するフィールドを明確にする。さらに、請求項２、４に記載の発明は、ＯＣＲ用紙の認識結果と図形イメージとを同一ディスプレイ画面内に表示し、図形領域確認指示を行うとＯＣＲ用紙イメージのうち指示された図形イメージ（図形領域確認結果）を所定の表示領域の中心または規定の位置に表示すると共に確認マークを付加することで確認する図形イメージ及びフィールドを明確にする。このように本発明は、同一画面内での操作により、確認するマーク・文字・図形のイメージ及びフィールドを明確にできるため、確認修正業務を大幅に効率化できる点が従来技術と大きく異なる。
【００１１】
請求項において、認識結果とは入力されたＯＣＲ用紙に記載された各マーク・文字に関してＯＣＲ用紙認識装置が認識したマーク・文字のことをいい、ＯＣＲ用紙イメージとは入力されたＯＣＲ用紙に記載された情報に関してＯＣＲ用紙認識装置が認識したイメージ情報のことをいい、図形領域検出結果とは入力されたＯＣＲ用紙の各図形領域に記載された図形に関してＯＣＲ用紙認識装置が認識したイメージ情報のことをいう。また、認識結果に対応する該当イメージ部分とは、ＯＣＲ用紙イメージのうち認識結果の元になった各マーク・文字に関するイメージ情報のことをいい、論理誤り表示に対応する該当イメージ部分とは、ＯＣＲ用紙イメージのうち論理誤りが検出された認識結果の元になった各マーク・文字に関するイメージ情報のこと或いは論理誤りが検出されたフィールドに属するマーク・文字群に関するイメージ情報のことをいう。また、確認マークとは、確認・修正すべき該当イメージ部分を目立たせるためのマークのことをいう。また、請求項１及び２の工程において、各工程が別々に行われても良く、同時に行われても良い。請求項３及び４の手段について、各手段が独立でも良く、一部又は全体を共有し合っても良い。また、請求項３及び４に記載のＯＣＲ用紙認識結果の確認修正装置は、ＯＣＲ用紙認識装置と独立でも良く、一部又は全体を共有し合っても良い。
【００１２】
【発明の実施の形態】
図１に本発明にかかわるＯＣＲ用紙認識結果の確認修正方法の実施例の手順を示す。まず、初期画面として、ディスプレイ６画面の認識結果表示ウィンドＷ1の表示処理（ステップＡ１）、論理誤り表示ウインドＷ2の表示処理（ステップＡ２）、マーク・文字イメージ表示ウインドＷ3の表示処理（ステップＡ３）、図形イメージ表示ウインドＷ4の表示処理（ステップＡ４）を行う。認識結果表示領域である認識結果表示ウィンドＷ1の表示処理では、ＯＣＲ用紙の認識結果が表示される。論理誤り表示領域である論理誤り表示ウインドＷ2の表示処理では認識結果の論理誤りがフィールド毎に表示される。イメージ表示領域であるマーク・文字イメージ表示ウインドＷ3の表示処理では、カーソルが存在する認識結果に対応する該当イメージ部分がマーク・文字イメージ表示ウインドＷ3の中心または規定の位置に拡大して表示される。図形イメージ表示領域である図形イメージ表示ウインドＷ4の表示処理では指示された図形領域検出結果が表示される。最初、ウインドＷ3、Ｗ4にはＯＣＲ用紙の先頭にある一の認識結果に対応する該当イメージや一の図形領域検出結果が表示されるが、論理誤りが無い場合は論理誤り表示ウインドＷ2には何も表示されない。
【００１３】
次に、認識結果表示ウインドＷ1または論理誤り表示ウインドＷ2の論理誤りメッセージで確認・修正を行う（ステップＡ５）。認識結果表示ウィンドＷ1でいずれかの認識結果を指示すると、指示された認識結果に対応する該当イメージ部分がマーク・文字イメージ表示ウインドＷ3の中心または規定の位置に拡大して表示される。また、論理誤り表示ウインドＷ2でいずれかの論理誤り表示を指示すると、指示された論理誤り表示に対応する該当イメージ部分がマーク・文字イメージ表示ウインドＷ3のイメージ表示領域の中心または規定の位置に拡大して表示される。さらに、これらの該当イメージ部分には確認マークが付加されて表示される。
【００１４】
認識結果の修正が行われた場合（ステップＡ６）は、論理誤り表示ウインドＷ2の論理誤り検出ボタンで論理チェックを行い（ステップＡ７）、論理誤り表示ウインドＷ2に修正箇所の論理誤りメッセージがなくなることを確認する。この確認・修正作業を全部の認識結果に対して行う（ステップＡ８）。次に、認識結果表示ウインドＷ1の図形領域確認指示用領域である図形ボタンをマウスでクリックしながら図形イメージ表示ウインドＷ4で記入図形（署名、捺印）を確認する（ステップＡ９）。図形領域確認指示を行うと、指示された図形領域検出結果が図形イメージ表示ウインドＷ4の中心または規定の位置に表示される。また、図形領域検出結果には確認マークが付加されて表示される。これを全部の図形イメージについて確認する（ステップＡ１０）。このような手順でＯＣＲ用紙イメージの確認修正が可能となる。なお、本発明の手順ではマーク・文字の認識結果の確認修正を行ってから記入署名および捺印の図形イメージの確認を行ったが、順序は問わない。
【００１５】
図２は本発明にかかわる方法を実施するための装置の実施例の構成を示すブロック図である。１はＯＣＲ用紙イメージを格納するイメージ格納部、２はＯＣＲ用紙認識結果を格納する認識結果格納部、３は定義情報格納部４に格納された論理チェック情報（フィールド定義に対する桁数、数字の範囲、棄却文字等の情報）にもとづきＯＣＲ用紙認識結果の論理チェックを行う論理誤り検出部、４はＯＣＲ用紙の認識条件等（フィールド定義とフィールドに関する認識位置と字種、論理チェック情報等）を記述した定義情報を格納する定義情報格納部、５はシステム全体を制御する全体制御部、６はＯＣＲ用紙認識結果およびＯＣＲ用紙イメージ等を表示するディスプレイ、７はディスプレイ６画面に表示したＯＣＲ用紙認識結果の修正データを入力するキーボード、８はディスプレイ６画面に表示したＯＣＲ用紙認識結果等を指示するマウスである。
【００１６】
図３はＯＣＲ用紙イメージの例を示す図で、１０はＯＣＲ用紙イメージ、１１、１２はマークまたは文字行の左右を示す制御マーク、１３はマークを記入する領域を示すマーク記入枠、１４は文字を記入する領域を示す文字記入枠、１５、１６は図形を記入する領域を示す図形記入枠、Ｉ1は顧客ＩＤの先頭の記入文字、Ｉ2は即納を示す記入マーク、Ｉ3は商品名で訂正の対象となる訂正対象文字、Ｉ4は図形記入枠に記入された署名のことをいう記入署名、Ｉ5は図形記入枠に押された捺印である。ただし、制御マーク１１、１２、マーク記入枠１３、文字記入枠１４、図形記入枠１５、１６はＯＣＲ用紙の認識が可能な規定の寸法で配置され、制御マーク１１、１２、記入文字Ｉ1、記入マークＩ2、訂正対象文字Ｉ3、記入署名Ｉ4、捺印Ｉ5は黒またはファクシミリのセンサで感知できる色で、マーク記入枠１３、文字記入枠１４、図形記入枠１５、１６はドロップアウトカラー（ファクシミリのセンサで感知されない色）で記載されたものとする。本実施例でのフィールドは、「顧客ＩＤ」、「商品コード」、「即納」、「商品名」、「署名」、「印」である。
【００１７】
図４は本発明でディスプレイに表示される初期画面を示す図で、Ｗ1はＯＣＲ用紙イメージの認識結果を表示するための認識結果表示ウインド、Ｒ1は記入文字Ｉ1の認識結果、Ｒ2は記入マークＩ2の認識結果、Ｒ3は訂正対象文字Ｉ3の認識結果、Ｂ1は次の図形記入枠に記載された情報の表示を指示する図形表示ボタン（図形領域確認指示用領域に該当）、Ｗ2はＯＣＲ用紙イメージの認識結果Ｒ1に対してフィールド毎の論理誤りを表示するための論理誤り表示ウインド、Ｓ1は論理誤り表示ウインドのメッセージをスクロールするスクロールバー、Ｅ1は顧客ＩＤの論理誤りメッセージ、Ｅ2は商品名の論理誤りメッセージ、Ｂ2は論理チェックを指示する論理誤り検出ボタン、Ｗ3は認識結果表示ウインドＷ1中のマーク・文字の認識結果に対応するＯＣＲ用紙イメージ１０中のマーク・文字イメージを表示するマーク・文字イメージ表示ウインド、Ｓ2はマーク・文字イメージ表示ウインドＷ3に表示されたイメージをスクロールするスクロールバー、Ｂ3はマーク・文字イメージ表示ウインドＷ3の表示倍率を指定可能とする表示倍率指定ボックス、Ｆ1は認識結果表示ウインドＷ1中のマウス８（又はカーソル）で指示されたマーク・文字の認識結果、または論理誤り表示ウインドＷ2中のマウス８（又はカーソル）で指示された論理誤りのあるマーク・文字の認識結果に対応する該当イメージを目立たせる確認マークであるマーク・文字確認修正位置マークで、文字記入枠１４を囲む太枠で表示されている。Ｗ4はＯＣＲ用紙イメージ１０の図形記入枠Ｉ5又はＩ6に記入された図形のイメージ（図形領域検出結果に該当）を表示する図形イメージ表示ウインド、Ｓ3は図形イメージ表示ウインドに表示されたイメージをスクロールするスクロールバー、Ｆ2は確認対象となる図形記入枠に記入された図形に対応する図形領域検出結果を目立たせる確認マークである図形確認位置マークであり、図形記入枠１５、１６を囲む太枠で表示されている。
【００１８】
図５，図６は本発明でディスプレイ６に表示されたＯＣＲ認識結果の確認と修正方法を示す図で、図５は修正前のディスプレイ画面を示す図、図６は一部修正した後のディスプレイ画面を示す図である。Ｉ1〜Ｉ5、Ｗ1〜Ｗ4、Ｒ1〜Ｒ3、Ｂ1〜Ｂ3、Ｓ1〜Ｓ3、Ｅ1〜Ｅ2、Ｆ1〜Ｆ2は、図４と同様である。Ｗ5は文字修正を行った後の認識結果表示ウインド、Ｗ6は論理チェックを行った後の論理誤り表示ウインド、Ｗ7は訂正対象文字Ｉ3を表示したマーク・文字イメージ表示ウインド、Ｗ8は捺印Ｉ5の図形イメージ（図形領域検出結果）を表示した図形イメージ表示ウインド、Ｒ3’は認識結果Ｒ3の修正文字、Ｐ1は訂正対象文字Ｉ3を指示するマウス８のクリック位置、Ｐ2は論理誤りメッセージＥ2を指示するマウス８のクリック位置、Ｐ3は図形ボタンを指示するマウス８のクリック位置である。
【００１９】
次に、図２の動作を図３から図６を用いて説明する。動作の手順は図１に示される。
【００２０】
[ステップＡ１]まず、全体制御部５は認識結果格納部２よりマークと文字の認識結果を読み出す。そして、あらかじめ用意された認識結果表示ウィンドウＷ1を用いてディスプレイ６の左画面上部にマーク・文字認識結果を表示する。
【００２１】
[ステップＡ２]次に、全体制御部５は論理誤り検出部３に対して論理チェックを指示する。論理チェックの指示を受けた論理誤り検出部３は定義情報格納部４に格納された各フィールド毎の論理チェック情報を読み出し、この論理チェック情報にもとづき認識結果格納部２に格納されたマークと文字の論理チェックをおこなう。本実施例では顧客ＩＤは５桁の数字でないこと、商品名に認識不能文字があることを検出する。そして、論理誤り検出部３は論理チェック結果を認識結果格納部２に格納するとともに論理チェック終了を全体制御部５に通知する。論理チェック終了通知を受けた全体制御部５は認識結果格納部２から論理チェック結果を読み出し、あらかじめ用意してある論理誤り表示ウインドＷ2用いて、ディスプレイ６の左画面下部に論理誤り結果を表示する。本実施例では、「顧客ＩＤは５桁の数字です」と「商品名に誤りがあります」を表示している。
【００２２】
[ステップＡ３]次に、全体制御部５は認識結果格納部２から認識結果の先頭に対応する文字記入枠１３の座標および大きさを読み出し、イメージ格納部１に格納されたＯＣＲ用紙イメージ１０から先頭の記入文字Ｉ1の周辺イメージも含めて読み出す。そして、あらかじめ用意されたマーク・文字イメージ表示ウィンドウＷ3を用いて、ディスプレイ６の右画面上部に記入文字Ｉ1の周辺イメージも含めて拡大して表示する。このとき、全体制御部５は記入文字Ｉ1をマーク・文字イメージ表示ウインドＷ3の中心に配置し、さらに記入文字Ｉ1のイメージにマーク・文字確認修正位置マークＦ1を重ねて表示する。
【００２３】
[ステップＡ４]次に、全体制御部５は認識結果格納部２から認識結果の先頭にある図形記入枠１５のイメージ座標および大きさを読み出し、イメージ格納部１に格納されたＯＣＲ用紙イメージ１０から記入署名Ｉ5の周辺イメージも含めてを読み出す。そして、あらかじめ用意された図形イメージ表示ウィンドウＷ4を用いて、ディスプレイ６の右画面下部に記入署名Ｉ5の周辺を含めたメージを表示する。このとき、全体制御部５は記入署名Ｉ4を図形イメージ表示ウインドＷ4の中心に配置し、記入署名Ｉ4のイメージに図形確認位置マークＦ2を重ねて表示する。
【００２４】
[ステップＡ５]このような手順で図４に示すディスプレイ６の初期画面が表示できる。ただし、このときディスプレイ６のカーソル位置は認識結果表示ウインドＷ1の先頭の認識結果にある。この状態からオペレータはキーボド７のカーソルキー又はマウス８を操作することで認識結果表示ウインドＷ1の認識結果を順次指示すると、対応した記入マークまたは記入文字のイメージがマーク・文字表示ウインドＷ3に拡大して表示され、確認作業を行うことが出来る。また、マーク・文字イメージ表示ウインドＷ3および図形イメージ表示ウインドＷ4に表示されるイメージの倍率はデフォルトを１００％としてあり、必要に応じて表示倍率指定ボックスＢ3をマウス８でクリックし、キーボード７から数値を入力することで変えることが出来る。
【００２５】
[ステップＡ６]このようにしてマーク・文字の認識結果を確認することが出来る。そして、キーボード７のカーソルが存在する認識結果表示ウインドＷ1のマークまたは文字の認識結果はその時点でキーボード７から修正を行うことが出来る。具体的に訂正対象文字Ｉ3を修正する方法は、キーボード７のカーソルキー又はマウス８で認識結果表示ウインドＷ1の認識結果のうち訂正対象文字Ｉ3の位置（マウスクリック位置Ｐ1）を指定し、または論理誤り表示ウインドＷ2の論理誤りメッセージＥ1またはＥ2の位置（マウスクリック位置Ｐ2）を指示してクリックする。すると、全体制御部５はディスプレイ６のマウスクリック位置Ｐ1またはＰ2のディスプレイ８座標から指示された認識結果に対応するＯＣＲ用紙イメージ１０に対する座標、大きさを認識結果格納部２から読み出し、この値をもとにイメージ格納部から訂正対象文字Ｉ3を含む周辺イメージを読み出しディスプレイ６画面のマーク・文字イメージ表示ウインドＷ7に拡大して表示する。このとき、全体制御部５は訂正対象文字Ｉ3をマーク・文字イメージ表示ウインドＷ7の中心に配置し、訂正対象文字Ｉ3のイメージにマーク・文字確認修正位置マークF1を重ねて表示する。そして、認識結果表示ウインドＷ1の認識結果Ｒ3へキーボード７からの修正文字Ｒ3’（文字「コ」）を入力する。すると、キーボード７から入力された修正文字Ｒ3’（文字「コ」）は全体制御部５に読み取られ、認識結果格納部２の該当する位置の認識結果を書き換える。それとともにディスプレイ６画面の認識結果表示ウインドＷ5に修正文字Ｒ3’（文字「コ」）を改めて表示する。
【００２６】
[ステップＡ７]そして、論理誤り表示ウインドＷ2の論理誤り検出ボタンＢ2をマウス８で指示し、クリックする。すると、ディスプレイ６の初期画面表示で説明した方法と同様に全体制御部５は論理誤り検出部３に指示を出し、論理チェック結果を認識結果格納部２へ格納し、論理チェック終了通知を全体制御部５へ通知する。論理チェック終了通知を受けた全体制御部５は認識結果格納部３から論理チェック情報を読み出し、ディスプレイ６左画面下部の論理誤り表示ウィンドＷ6を改めて表示する。この結果、論理誤り表示画面Ｗ6から商品名の論理誤りメッセージＥ2が消えていることがわかる。
【００２７】
[ステップＡ８]同様の手順で認識結果表示ウインドＷ1の顧客ＩＤを５桁にし、論理誤り検出ボタンＢ2をマウス８でクリックすれば、顧客ＩＤの論理誤りメッセージＥ1を消すことが出来る。順次、それぞれのマーク、文字、論理誤りに対して修正と論理チェックを行うことにより、確認修正が終了する。
【００２８】
[ステップＡ９]また、図形記入枠１５，１６の記入図形を確認する場合は、認識結果表示ウインドＷ1にある図形ボタンＢ1（図形領域確認指示用領域）の位置（マウスクリック位置Ｐ3）をマウス８で指示し、クリックすることで次の記入図形（捺印Ｉ5のイメージ）を図形イメージ表示ウインドＷ8に表示し、確認することが出来る。ただし、全体制御部５は捺印Ｉ5のイメージを図形イメージ表示ウインドＷ8の中心に配置し、図形位置確認マークＦ2を重ねて表示する。このようにして、訂正対象文字Ｉ3の確認修正、捺印Ｉ5の図形イメージの確認を行ったディスプレイ画面を図６に示す。
【００２９】
[ステップＡ１０]順次、それぞれの図形イメージに対して修正と論理チェックを行うことにより、確認修正が終了する。
【００３０】
なお、本実施例ではマーク・文字イメージ表示ウインドＷ3、Ｗ7、図形イメージ表示ウィンドＷ4、Ｗ8のスクロールは行わなかったが、必要に応じてスクロールバーＳ2、Ｓ3をマウス8でクリックすることで、隣接した記入マーク、記入文字、図形および説明文等を見ることが出来る。また、論理誤り表示ウインドＷ2、Ｗ6も論理誤りの情報が多くなればスクロールバーＳ1をマウス８でクリックしながら順次表示させる必要が生じる。さらに、マーク・文字イメージ表示ウインドＷ3、Ｗ7、および図形イメージ表示ウィンドＷ4、Ｗ8に表示されるイメージの表示倍率が適切でない場合には（本実施例では表示倍率が１００％であるため、ＯＣＲ用紙イメージ１０から読み出した表示イメージはサイズ変換をしていない）、表示倍率指定ボックスＢ3をマウス８でクリックし、数値をキーボード７から入力する。すると、全体制御部５がキーボード７からの数値を解釈して、表示するイメージサイズを計算し、読み出し表示する。なお、この表示倍率にしたがい確認マークであるマーク・文字修正確認位置マークＦ1または図形確認位置マークＦ2の大きさ、線幅を算出し表示する。また、論理チェックの方法として字種の調査、数字の範囲を含めることも出来るし、商品名として商品名データベースと照合することも出来る。なお、論理チェックをした結果としてマーク・文字表示ウインドに表示するイメージおよび重畳する確認マークをマーク・文字単位だけでなく、フィールド単位に表示することも出来る。
【００３１】
【発明の効果】
本発明のＯＣＲ用紙認識結果の確認修正方法および装置によれば、以上説明したように、マークおよび文字認識結果と拡大したＯＣＲ用紙イメージを同一ディスプレイ装置の画面に表示し、ディスプレイ画面の文字またはマーク認識結果を指示するとＯＣＲ用紙イメージの該当イメージ部分を連動させて表示領域の中心または規定の位置に拡大して表示すると共に確認マークを付加することにより、確認修正するマーク・文字イメージを明確にできるので、オペレータに負担をかけず、ＯＣＲ用紙認識結果の確認修正作業を効率良く行うことが可能になる利点がある。また、マークおよび文字認識結果とフィールド毎のマーク・文字認識結果の論理的な誤りを同一画面に表示し、論理誤り表示を指示すると、指示されたＯＣＲ用紙イメージの該当イメージ部分を連動させ、表示領域の中心または規定の位置に拡大して表示すると共に確認マークを付加することで、確認修正するフィールドを明確にするため、マークおよび文字認識の誤りだけでなく、フィールドの意味を確認する作業も軽減できる利点がある。さらに、マークおよび文字認識結果と図形イメージを同一画面に表示し、図形領域確認指示を行うと指示された図形領域検出結果を表示領域の中心または規定の位置に表示すると共に確認マークを付加することで確認する図形イメージ及びフィールドを明確にできるため、署名等が記載された図形領域の確認等も容易にできる利点がある。以上により本発明によれば同一画面上でマーク・文字・図形のイメージおよびフィールドを明確にでき、ＯＣＲ用紙の認識結果の確認修正業務を効率化できる利点がある。
【図面の簡単な説明】
【図１】本発明にかかわるＯＣＲ用紙認識結果の確認修正方法の実施例の手順を示す図である。
【図２】本発明にかかわる方法を実施するための装置の実施例の構成を示すブロック図である。
【図３】本発明におけるＯＣＲ用紙イメージの例を示す図である。
【図４】本発明におけるディスプレイに表示される初期画面を示す図である。
【図５】本発明における修正前のディスプレイ画面を示す図である。
【図６】本発明における一部修正した後のディスプレイ画面を示す図である。
【符号の説明】
１…イメージ格納部
２…認識結果格納部
３…論理誤り検出部
４…定義情報格納部
５…全体制御部
６…ディスプレイ
７…キーボード
８…マウス
１０…ＯＣＲ用紙イメージ
１１、１２…制御マーク
１３…マーク記入枠
１４…文字記入枠
１５、１６…図形記入枠
Ａ１〜Ａ１０…ＯＣＲ用紙認識結果の確認修正方法のステップ
Ｉ1…先頭の記入文字
Ｉ2…記入マーク
Ｉ3…訂正対象文字
Ｉ4…記入署名
Ｉ5…捺印
Ｗ1、Ｗ5…認識結果表示ウインド
Ｗ2、Ｗ6…論理誤り表示ウインド
Ｗ3、Ｗ7…マーク・文字イメージ表示ウインド
Ｗ4、Ｗ8…図形イメージ表示ウインド
Ｒ1…先頭の記入文字Ｉ1の認識結果
Ｒ2…記入マークＩ2の認識結果
Ｒ3…訂正文字Ｉ3の認識結果
Ｒ3’…認識結果Ｒ3の修正文字
Ｂ1…図形表示ボタン
Ｂ2…論理誤り検出ボタン
Ｂ3…表示倍率指定ボックス
Ｅ1…顧客ＩＤの論理誤りメッセージ
Ｅ2…商品名の論理誤りメッセージ
Ｆ1…マーク・文字確認修正位置マーク
Ｆ2…図形確認位置マーク
Ｓ1、Ｓ2、Ｓ3…スクロールバー
Ｐ1、Ｐ2、Ｐ3…マウスのクリック位置
【図１】
0003540192.tif 000002
【図２】
0003540192.tif 000003
【図３】
0003540192.tif 000004
【図４】
0003540192.tif 000005
【図５】
0003540192.tif 000006
【図６】
0003540192.tif 000007